(57)【要約】【課題】異常スパーク時の保護の信頼性を向上した電動機を提供する。【解決手段】一端側をキャップ部72側に接続し他端側をカーボンブラシ65側に接続した導電性のピッグテール74に、ピッグテール74の溶解温度よりも低い所定温度で溶解する溶断部76を設ける。カーボンブラシ65の異常などの異常スパーク時には、カーボンブラシ65から伝わる温度によって溶断部76が溶断してカーボンブラシ65とキャップ部72との電気的な接続を遮断する。カーボンブラシ65の温度上昇に対応して溶断部76を速やかに溶断させることができ、高い信頼性で電動機を保護できる。【選択図】図１
2011004470.tif 000002
【特許請求の範囲】
【請求項１】
フレームと、
このフレームに固定され固定磁極を形成する枠状の固定子と、
この固定子の内方に位置し回転磁極を形成するコイル、および、このコイルと電気的に接続される整流子を有し、前記フレームに回転自在に軸支された回転子と、
前記フレームに取り付けられたブラシ装置とを具備し、
前記ブラシ装置は、
カーボンブラシと、
電源側と電気的に接続される接続部を有し、前記カーボンブラシを摺動可能に保持するブラシホルダ部と、
前記カーボンブラシの先端側を前記整流子へと押圧する押圧手段と、
一端側が前記接続部側に接続され他端側が前記カーボンブラシ側に接続された導電性の接続体と、
この接続体に設けられ、この接続体の溶解温度よりも低い所定温度で溶解することでこの接続体の一端側と他端側とを電気的に遮断させる溶断部とを備えている
ことを特徴とした電動機。
【請求項２】
溶断部は、導電性を有する金属部材である
ことを特徴とした請求項１記載の電動機。
【請求項３】
溶断部は、樹脂であり、接続体の一端側と他端側とを接触状態で保持している
ことを特徴とした請求項１記載の電動機。
【請求項４】
接続体は、溶断部から一端側と他端側との少なくともいずれか一方に付勢されている
ことを特徴とした請求項１ないし３いずれか一記載の電動機。
【請求項５】
請求項１ないし４いずれか一記載の電動機と、
この電動機により回転される遠心ファンと、
この遠心ファンから吹き出された空気を前記電動機のフレーム側へと整流する整流板と
を具備したことを特徴とした電動送風機。
【発明の詳細な説明】
【技術分野】
【０００１】
本発明は、フレームに取り付けられたブラシ装置を有する電動機およびこれを備えた電動送風機に関する。
【背景技術】
【０００２】
従来、例えば電気掃除機用の電動送風機などに用いられる電動機は、金属製の略円筒状のフレーム内に収容された四角形枠状の固定子(ステータ)と、この固定子の内方に配置されてフレームに回転自在に軸支された回転子(ロータ)と、フレームに固定されたブラシ装置とを備えている。回転子には、回転軸の周囲にコイルが配置されているとともに、回転軸の一端部近傍に、コイルに電気的に接続され周方向に複数に分割された整流子(コンミュテータ)が配置されている。また、ブラシ装置は、カーボンブラシと、このカーボンブラシを摺動可能に収容したブラシホルダ部とを有し、このブラシホルダ部が、絶縁部を介してフレームに固定されている。カーボンブラシは、基端側が押圧手段としてのコイルばねにより付勢されることにより、先端側が整流子の外周面に弾性的に押圧されている。また、カーボンブラシの基端側は、ブラシホルダ部のキャップ部と接続体としてのリード線であるピッグテールを介して電気的に接続されており、ブラシホルダ部のキャップ部が、端子部を介して外部の電源と電気的に接続される。そして、この電動機は、電源からの給電によって固定子に固定磁極が形成されるとともに、キャップ部、ピッグテール、カーボンブラシおよび整流子を介してコイルに給電されることで回転子に回転により切り換わる回転磁極が形成され、これら固定磁極と回転磁極との作用によって、回転子が所定方向に回転するように構成されている。
【０００３】
例えば、カーボンブラシに欠損、あるいは磨耗などの異常が生じたとき、あるいは、カーボンブラシすなわち電動機の寿命末期においては、電動機の動作に伴いカーボンブラシの先端側と整流子との間でスパークが異常発生し、過電流が流れることがある。このような異常スパークは、カーボンブラシを高温とするため、さらにスパークが悪化するという悪循環を生み、このような悪循環によって生じる高熱は、ブラシ装置などの寿命をさらに短くする原因となる。そこで、ブラシホルダ部と端子部との間に、異常温度で溶断する導電性の感熱可溶体を配置し、この感熱可溶体が異常スパーク時に溶断することにより、コイル側と電源側との電気的接続を遮断して電動機を停止させる構成が知られている(例えば、特許文献１および２参照。)。
【先行技術文献】
【特許文献】
【０００４】
【特許文献１】特開平９−７４７２２号公報(第４−７頁、図３および図４)
【特許文献２】特開２０００−１６６１８８号公報(第４−６頁、図３)
【発明の概要】
【発明が解決しようとする課題】
【０００５】
しかしながら、上述の構成では、ブラシホルダ部と端子部との間に感熱可溶体を配置しているので、カーボンブラシの温度上昇に素早く追従して電動機を保護する上では不利であるという問題点を有している。
【０００６】
本発明は、このような点に鑑みなされたもので、異常スパーク時の保護の信頼性を向上した電動機およびこれを備えた電動送風機を提供することを目的とする。
【課題を解決するための手段】
【０００７】
本発明は、フレームに取り付けられたブラシ装置が、カーボンブラシと、電源側と電気的に接続される接続部を有し、カーボンブラシを摺動可能に保持するブラシホルダ部と、カーボンブラシの先端側を整流子へと押圧する押圧手段と、一端側が接続部側に接続され他端側がカーボンブラシ側に接続された導電性の接続体と、この接続体に設けられ、この接続体の溶解温度よりも低い所定温度で溶解することでこの接続体の一端側と他端側とを電気的に遮断させる溶断部とを備えているものである。
【発明の効果】
【０００８】
本発明によれば、一端側を接続部側に接続し他端側をカーボンブラシ側に接続した導電性の接続体に、この接続体の溶解温度よりも低い所定温度で溶解する溶断部を設けることにより、カーボンブラシの異常などの異常スパーク時には、カーボンブラシから伝わる温度によって溶断部が溶断してカーボンブラシと接続部との電気的な接続を遮断するので、高い信頼性で電動機を保護できる。
【図面の簡単な説明】
【０００９】
【図１】本発明の第１の実施の形態の電動機の一部を拡大して示す説明断面図であり、(a)は通常の動作状態、(b)は異常時の動作状態を示す。
【図２】同上電動機を備えた電動送風機の一部を切り欠いて示す断面図である。
【図３】本発明の第２の実施の形態の電動機の一部を拡大して示す説明断面図であり、(a)は通常の動作状態、(b)は異常時の動作状態を示す。
【発明を実施するための形態】
【００１０】
以下、本発明の第１の実施の形態の構成を図１および図２を参照して説明する。
【００１１】
図２において、11は電動送風機を示し、この電動送風機11は、例えば電気掃除機、あるいはブロワなどに用いられるものである。そして、この電動送風機11は、電動機13と、この電動機13に接続されて回転される遠心ファン14と、これら電動機13と遠心ファン14との間に位置する整流板であるディフューザ15と、遠心ファン14およびディフューザ15の一部を覆う略円筒状のファンカバー16とを備えており、図示しない制御手段により動作が制御される。なお、以下、便宜的に、電動機13側を下側、遠心ファン14側(ファンカバー16側)を上側として説明する。
【００１２】
電動機13は、本体部であるモータ本体部21と、このモータ本体部21を保持する胴体ケースとしてのフレーム22と、このフレーム22に取り付けられた一対のブラシ装置23とを有している。
【００１３】
モータ本体部21は、四角形枠状の固定子25の内方に、回転子26が配置されて構成されている。
【００１４】
固定子25は、ステータ、あるいはフィールドとも呼ばれるもので、固定子本体としての平面視四角形状のフィールドコア31と、このフィールドコア31の所定位置に巻回された界磁巻線32とを有し、フレーム22とディフューザ15との間に配設されている。
【００１５】
フィールドコア31は、鉄板を多数積層して形成され、中心部に、回転子26が挿入される開口部34が開口されている。この開口部34は、内周側が回転子26の外周面に所定の間隙を介して対向している。
【００１６】
界磁巻線32は、フィールドコア31の開口部34の周囲に固定磁極であるＮ極およびＳ極を形成するものである。
【００１７】
また、回転子26は、ロータ、あるいは電機子すなわちアーマチュアとも呼ばれるもので、回転中心となる出力軸である回転軸36と、この回転軸36と一体に設けられた整流子37および回転子本体としてのアーマチュアコア38とを一体的に有している。
【００１８】
回転軸36は、軸方向の一端部である上端部が、ディフューザ15に挿通され、この上端部に遠心ファン14が接続されている。また、この回転軸36は、両端側がベアリング41，42によりそれぞれ回転自在に保持されている。
【００１９】
整流子37は、コンミュテータとも呼ばれるもので、外周側が、ブラシ装置23と摺接する複数の整流子片45に分割されており、回転軸36の下端側に位置している。
【００２０】
アーマチュアコア38は、例えば複数の鉄板を積層して形成された鉄心部47と、この鉄心部47の両端部を挟む絶縁体48とを有し、整流子37よりも上方に位置して固定子25の内周側に配置されている。また、このアーマチュアコア38の周囲には、リード線が巻回されており、コイルであるアーマチュアコイル49が構成されている。
【００２１】
アーマチュアコイル49は、固定子25の界磁巻線32により形成される固定磁極に対して磁気的に吸引あるいは反発される回転磁極であるＮ極あるいはＳ極を形成するもので、多数のリード線を巻回して形成され、各リード線の端部が、それぞれ整流子37の各整流子片45に電気的に接続されている。
【００２２】
また、フレーム22は、略有底円筒状の第１フレーム51とこの第１フレーム51の上端部に径方向に沿って配置された第２フレーム52とを有している。
【００２３】
第１フレーム51は、例えば金属、あるいは合成樹脂などにより形成され、内部にフィールドコア31を保持している。また、この第１フレーム51の上端部には、外側へとフランジ状に屈曲されたフランジ部54が形成されている。さらに、この第１フレーム51の下端部には、ベアリング41およびスラストばね55を保持するモータヘッド部56が凹設されている。そして、この第１フレーム51には、各ブラシ装置23が取り付けられるブラシ取付孔57が互いに対向する位置に開口形成されているとともに、これらブラシ取付孔57の間の位置に、複数の排気口58が開口形成されている。
【００２４】
第２フレーム52は、例えば金属、あるいは合成樹脂などにより形成され、両端部がねじ61を介して第１フレーム51の上端側のフランジ部54に固定されている。また、この第２フレーム52の中心部には、ベアリング42を内側に保持するベアリング保持部63が上側へと突出するように形成されており、このベアリング保持部63の外側が、ディフューザ15を固定する部分となっている。
【００２５】
そして、各ブラシ装置23は、角柱状のカーボンブラシ65と、このカーボンブラシ65の長手方向の一端側を保持するブラシホルダ部66と、このブラシホルダ部66を第１フレーム51のブラシ取付孔57に絶縁して取り付けるための絶縁部であるホルダ絶縁67と、ブラシホルダ部66に収容されカーボンブラシ65の一端部を長手方向の他端側へと押圧する押圧手段としての付勢手段であるコイルばね68とを備え、排気口58の近傍に配置されている。
【００２６】
カーボンブラシ65は、先端側が整流子37の整流子片45に押圧されるものであり、例えば導電性を有するカーボン粉末を角柱状に固めて形成されている。
【００２７】
ブラシホルダ部66は、角筒状のホルダ本体71と、このホルダ本体71に対して離間された接続部としてのキャップ部72とを有している。
【００２８】
ホルダ本体71は、例えば耐熱性の樹脂などの導電性を有さない(絶縁性の)部材により形成されている。また、このホルダ本体71は、一端側がホルダ絶縁67に一体的に固定されており、他端側がホルダ絶縁67から第１フレーム51の内方へと突出している。
【００２９】
キャップ部72は、導電性を有する金属をプレス成形して構成されており、ホルダ本体71の一端側を閉塞するようにホルダ絶縁67に取り付けられている。すなわち、このキャップ部72は、カーボンブラシ65の基端側に対向して配置されている。また、このキャップ部72には、カーボンブラシ65の他端側との間に、上記コイルばね68と、接続体としてのリード線であるピッグテール74とが接続されている。
【００３０】
ピッグテール74は、例えば導電性の金属により細長いコイルばね状に形成されており、一端側がキャップ部72に対して例えばスポット溶接され、他端側がカーボンブラシ65に対して埋め込まれている。したがって、ピッグテール74は、カーボンブラシ65とキャップ部72とを電気的に接続している。また、ピッグテール74は、一端側すなわちキャップ部72側を構成する第１接続部としての第１テール部74aと、カーボンブラシ65側を構成する第２接続部としての第２テール部74bとに分断されており、これらテール部74a，74bが溶断部76を介して互いに連結されて一体的となっている。さらに、このピッグテール74は、自然長状態でカーボンブラシ65とキャップ部72との間の距離よりも短く形成されている。このため、ピッグテール74は、各テール部74a，74bが離間される方向へと互いに引っ張られるように付勢されている。
【００３１】
溶断部76は、例えば半田などの導電性の金属によって形成されており、ピッグテール74の溶解温度よりも低い所定温度、例えばカーボンブラシ65と整流子37との間での異常スパーク時などの異常温度で溶解するように構成されている。すなわち、溶断部76は、溶断することによってピッグテール74の第１テール部74a側(キャップ部72側)と第２テール部74b側(カーボンブラシ65側)とを電気的に遮断するものである。なお、溶断部76が溶断する所定温度は、カーボンブラシ65からの距離に応じて溶断部76の材質などを適宜選択することにより設定可能であり、例えば１５０℃〜１６０℃程度に設定されている。また、この溶断部76は、カーボンブラシ65に近い方が好ましい。換言すれば、ピッグテール74は、第２テール部74bが第１テール部74aよりも短い方が好ましい。
【００３２】
また、ホルダ絶縁67は、例えば耐熱性の樹脂などの導電性を有さない(絶縁性の)部材により形成されており、ねじ81を介してブラシ取付孔57に固定されている。また、このホルダ絶縁67には、ブラシホルダ部66のホルダ本体71が挿入固定される固定孔部82と、この固定孔部82の下側に形成された挿通孔部83とを備えている。そして、この挿通孔部83には、キャップ部72から延設された端子部85が一端側から挿入されている。この端子部85は、挿通孔部83から第１フレーム51の内方へと延びており、挿通孔部83に他端側から挿入された導電端子部86と接触することにより、固定子25の界磁巻線32と電気的に接続される固定子給電部87に対して電気的に接続されている。すなわち、この端子部85は、家庭用商用交流電源、あるいは電池などの図示しない電源に電気的に接続されている。
【００３３】
コイルばね68は、ピッグテール74よりも弾性が大きく設定されており、カーボンブラシ65の他端側である先端側が常時整流子37の外周面に接触するようにカーボンブラシ65を弾性的に押圧している。
【００３４】
また、遠心ファン14は、回転軸36と一体的に回転するもので、円板状に設けられた下部ファンプレート91、この下部ファンプレート91に対して所定の間隙を介して略平行に対向し吸込口92を備えた円板状の上部ファンプレート93、および、これらファンプレート91，93の間に一体に設けられた平面視で渦巻状のブレードとしての複数のファン翼94を備えている。そして、遠心ファン14は、下部ファンプレート91の中心部の孔部95に回転軸36が挿通され、この挿通された回転軸36とナット96を介して一体的に接続されている。
【００３５】
また、ディフューザ15は、遠心ファン14から外周側へと吹き出された空気を整流して電動機13側へと導くもので、電動機13と遠心ファン14との間に位置している。さらに、このディフューザ15は、整流板本体としてのディフューザ本体101と、このディフューザ本体101の一主面である上面から上方へと突出した複数の上流側ブレード102と、ディフューザ本体101の他主面である下面から下方へと突出した複数の下流側ブレード103とを一体に有している。そして、このディフューザ15は、ディフューザ本体101の中心域に形成された保持孔部104に対して第２フレーム52のベアリング保持部63が下側から挿入されており、ねじ105を介して第２フレーム52と固定されている。
【００３６】
また、ファンカバー16は、例えばアルミニウムなどの金属によりプレス成形されており、電動機13のフレーム22の第１フレーム51のフランジ部54の外周縁部に圧入嵌合される。さらに、このファンカバー16は、下側から上側へと徐々に縮径され、中央部に丸孔状の吸気口107が開口形成されている。そして、吸気口107の下側には、シール部材108が取り付けられており、このシール部材108が、遠心ファン14の吸込口92の外縁部に圧接されている。このため、吸気口107は、遠心ファン14の吸込口92に対して気密に接続されている。
【００３７】
次に、上記第１の実施の形態の動作を説明する。
【００３８】
電動送風機11は、電源から固定子給電部87に給電されると、界磁巻線32およびフィールドコア31を介して、Ｎ極およびＳ極の固定磁極が固定子25の開口部34に臨んで周方向に交互に形成される。
【００３９】
また、回転子26では、固定子給電部87から、導電端子部86、端子部85、キャップ部72、ピッグテール74およびカーボンブラシ65を介して整流子37へと給電されることで、この整流子37の各整流子片45と接続されたアーマチュアコイル49にそれぞれＮ極、あるいはＳ極の回転磁極が発生する。
【００４０】
この結果、固定子25側の固定磁極に対して回転子26側の回転磁極が磁気的に吸引・反発することで、開口部34内で回転子26が周方向に回動する。
【００４１】
そして、回転子26の回転に伴い、カーボンブラシ65に接触する整流子37の整流子片45が変化することにより、アーマチュアコイル49に形成される回転磁極の極性が切り換わることで、固定子25側の固定磁極との磁気的な吸引・反発がさらに継続されて、回転子26がさらに回動する。
【００４２】
これら動作を繰り返すことで、回転子26が周方向に継続して回転する。
【００４３】
この回転子26の回転に伴い、回転軸36に接続された遠心ファン14が回転し、ファンカバー16の吸気口107から吸込口92を介して空気をファンプレート91，93間に吸い込み、この吸い込んだ空気を、遠心ファン14の外周側へと吹き出す。
【００４４】
この遠心ファン14から吹き出された空気は、ディフューザ15の上流側ブレード102，102間の風路によりディフューザ15の外周方向へと渦巻状に整流された後、ディフューザ15の外周側へと吹き出し、さらに、ディフューザ15の外周側から、下流側ブレード103，103間の風路へと流入し、これら風路によってディフューザ15の中心側へと渦巻状に整流され、第２フレーム52の両側などから第１フレーム51内へと吸い込まれる。
【００４５】
そして、この空気は、電動機13を冷却しつつ排気口58からフレーム22の外部である電動送風機室に吹き出された後、排気孔を介して本体ケース25の外部へと吹き出される。この結果、電動送風機11の吸込側に負圧が発生する。例えば、電動送風機11では、この負圧の作用により、空気とともに塵埃を吸い込んで掃除を行う。
【００４６】
ここで、通常の状態では、カーボンブラシ65周辺の温度は１１０℃程度であるが、カーボンブラシ65の異常、あるいは電動機13の寿命末期などの際には、カーボンブラシ65と整流子37との間のスパークが大きくなり、カーボンブラシ65周辺の温度が上昇する。
【００４７】
すると、ピッグテール74の溶断部76が、このカーボンブラシ65周辺の温度上昇によって所定温度、例えば１５０℃〜１６０℃に達して溶解する。この結果、図１(a)に示す状態から図１(b)に示すように、第１テール部74aがキャップ部72側に、第２テール部74bがカーボンブラシ65側にそれぞれ引っ張られ、ピッグテール74が分断される。したがって、キャップ部72とカーボンブラシ65とが電気的に遮断され、整流子37およびアーマチュアコイル49側へと給電されず、回転磁極が形成されなくなり、結果的に電動機13(電動送風機11)が停止し、保護される。
【００４８】
上述したように、上記第１の実施の形態によれば、一端側をキャップ部72側に接続し他端側をカーボンブラシ65側に接続した導電性のピッグテール74に、このピッグテール74の溶解温度よりも低い所定温度で溶解する溶断部76を設けることにより、カーボンブラシ65の異常などの異常スパーク時には、カーボンブラシ65から伝わる温度によって溶断部76が溶断してカーボンブラシ65とキャップ部72との電気的な接続を遮断する。したがって、例えばブラシホルダ部の外部などに感熱可溶体などを配置する構成と比較して、カーボンブラシ65の温度上昇に対応して溶断部76を速やかに溶断させることができ、高い信頼性で電動機13を保護できる。
【００４９】
特に、図２に示す電動送風機11では、遠心ファン14の回転により外周側へと吹き出された空気がディフューザ15によりフレーム22側へと整流され、第１フレーム51内へと流入した後、この第１フレーム51内を通過して排気口58から排気されるため、ブラシ装置23の外部を空気が流れる。このため、ブラシ装置23の内部に位置するピッグテール74に溶断部76を設けることにより、ブラシ装置23の外部を流れる空気によって溶断部76が冷却されることがなく、カーボンブラシ65の温度上昇に対応して溶断部76を速やかに溶断させることができ、より高い信頼性で電動機13(電動送風機11)を保護できる。
【００５０】
また、溶断部76を、導電性を有する金属部材により形成することで、溶断部76をテール部74a，74bとともに一体的に容易に形成できる。
【００５１】
さらに、ホルダ本体71を非導電性の部材により構成することで、分断されたピッグテール74の各テール部74a，74bが仮にホルダ本体71に接触した場合でも、このホルダ本体71を介してキャップ部72側とカーボンブラシ65側とが導通することがなく、電動機13をより確実に保護できる。
【００５２】
そして、ピッグテール74を、溶断部76から一端側(第１テール部74a側)、および、他端側(第２テール部74b側)に付勢していることで、溶断部76が溶断すると、各テール部74a，74bが互いに離間される方向へと縮むので、ピッグテール74を確実に分断させることができる。
【００５３】
しかも、ピッグテール74を、細い部材をコイル状に巻回して構成していることで、このピッグテール74は、電流が流れた際に電流密度が大きくなり、異常スパーク時以外でも発熱しやすい。このため、溶断部76は、異常スパーク時のカーボンブラシ65の温度上昇に対して、溶断部76の温度上昇を精度よく追従させて溶断させることが可能になり、信頼性をより向上できる。
【００５４】
次に、第２の実施の形態を図３を参照して説明する。なお、上記第１の実施の形態と同様の構成および作用については、同一符号を付してその説明を省略する。
【００５５】
この第２の実施の形態は、上記第１の実施の形態の溶断部76に代えて、ピッグテール74が溶断部111を備えるものである。
【００５６】
この溶断部111は、例えば導電性を有さない合成樹脂などにより形成されており、第１テール部74aと第２テール部74bとを接触状態で保持してこれらテール部74a，74b間を導通させている。さらに、この溶断部111は、所定温度、例えばカーボンブラシ65と整流子37との間での異常スパーク時などの異常温度で溶解するように構成されている。すなわち、溶断部111は、溶断することによってカーボンブラシ65側とキャップ部72側とを電気的に遮断する。なお、溶断部111が溶断する所定温度は、カーボンブラシ65からの距離に応じて溶断部111の材質などを適宜選択することにより設定可能であり、例えば１５０℃〜１６０℃程度に設定されている。
【００５７】
そして、電動送風機11の動作時、通常の状態では、カーボンブラシ65周辺の温度は１１０℃程度であるが、カーボンブラシ65の異常、あるいは電動機13の寿命末期などの際には、カーボンブラシ65と整流子37との間のスパークが大きくなり、カーボンブラシ65周辺の温度が上昇する。このため、ピッグテール74の溶断部111が、このカーボンブラシ65周辺の温度上昇によって所定温度、例えば１５０℃〜１６０℃に達して溶解し、図３(a)に示す状態から図３(b)に示すように、第１テール部74aがキャップ部72側に、第２テール部74bがカーボンブラシ65側にそれぞれ引っ張られ、ピッグテール74が分断される。したがって、キャップ部72とカーボンブラシ65とが電気的に遮断され、整流子37およびアーマチュアコイル49側へと給電されず、回転磁極が形成されなくなり、結果的に電動機13(電動送風機11)が停止し、保護される。
【００５８】
このように、一端側をキャップ部72側に接続し他端側をカーボンブラシ65側に接続した導電性のピッグテール74に、このピッグテール74の溶解温度よりも低い所定温度で溶解する溶断部111を設けるなど上記第１の実施の形態と同様の構成を有することにより、上記第１の実施の形態と同様の作用効果を奏することができる。
【００５９】
また、溶断部111を、導電性を有さない樹脂により形成し、第１テール部74aと第２テール部74bとを接触状態で保持していることにより、溶断部111を安価に構成でき、製造コストを抑制できる。
【００６０】
なお、上記各実施の形態において、ピッグテール74は、第１テール部74a、あるいは第２テール部74bのいずれか一方のみがコイルばね状に形成されて付勢されている構成でもよい。
【００６１】
また、ピッグテール74は、別途付勢手段によって、一端側、あるいは他端側へと付勢されている構成でもよい。
【００６２】
さらに、電動送風機11は、電気掃除機、あるいはブロワに用いるものに限定されない。同様に、電動機13は、電動送風機11に用いるものに限定されない。
【符号の説明】
【００６３】
11    電動送風機
13    電動機
14    遠心ファン
15    整流板であるディフューザ
22    フレーム
23    ブラシ装置
25    固定子
26    回転子
37    整流子
49    コイルであるアーマチュアコイル
65    カーボンブラシ
66    ブラシホルダ部
68    押圧手段としてのコイルばね
72    キャップ部
74    接続体としてのピッグテール
76，111   溶断部
【図１】
2011004470.tif 000003
【図２】
2011004470.tif 000004
【図３】
2011004470.tif 000005